(57)【要約】      （修正有）【課題】ゴミ集積場所に出されたゴミの入ったゴミ袋を、カラスや猫犬の食い散らかしから守るため、ゴミの入ったゴミ袋をカラスや猫犬から遮断するために、ネットやシート重石を使わないで簡単にゴミの入ったゴミ袋を収納できる防護具を提供する。【解決手段】防護具本体に、ゴミの入ったゴミ袋を入れる入れ口にファスナーを設け、ファスナーを開け、ゴミの入ったゴミ袋を入れファスナーを閉めることにより、カラスや猫犬からゴミの入ったゴミ袋を遮断する防護具が提供される。【選択図】図１
0003143408.tif 000002
【実用新案登録請求の範囲】
【請求項１】
ゴミの入ったゴミ袋をカラスや猫犬の食い散らかしを防護する防護具であって、柔軟性素材で立体形に構成され、底面を除く１面にゴミの入ったゴミ袋の入れ口を具備し、入れ口にはファスナーを有することを特徴とするゴミのカラス及び猫犬の食い散らし対策防護具。
【請求項２】
底部に、四方からフラップを設け、各々のフラップを内側に折り込み、対向するフラップが重ならないよう隙間を設けるように形成することを特徴とする請求項１記載のゴミのカラス及び猫犬の食い散らし対策防護具。
【考案の詳細な説明】
【技術分野】
【０００１】
ゴミの入ったゴミ袋をカラスや猫犬などから守る防護具に関するものである。
【背景技術】
【０００２】
自治体のゴミ回収時に、ゴミ集積場に出したゴミが入ったゴミ袋を、カラスや猫犬に食べ散らかされる被害は深刻な問題である。カラスや猫犬が食べ散らかすと、美観を損ねるだけではなく、ゴミ袋から出たゴミや汁等で悪臭が発生し、また害虫発生の原因になっている。回収時にカラスや猫犬に食べ散らかされたままになっていると、回収担当者が清掃まで行なう必要もあり、手間と時間の無駄がなくならない問題は深刻である。
【０００３】
私有地などの土地があるところでは、ゴミ籠やボックスなどを設置し、ゴミの入ったゴミ袋をカラスや猫犬の食い散らかしの被害から守ることが出来るが、ゴミ集積地を道路や歩道を使う場合、道路や歩道を占有するという理由から、ゴミ籠やボックスのような簡単に移動できないリジットな物を使うことが出来ない。そのため、ゴミの入ったゴミ袋をカラスや猫犬から守るにあたり、ネットやシートをかけ、周りに重石をして対策をとっているが、ゴミの入ったゴミ袋を完全に囲い込めなかったり、隙間が出来たりして被害は後をたたない。ゴミの入ったゴミ袋を出す一人々が気をつければ解決できる事ではあるが、ネットやシートを使い、ゴミの入ったゴミ袋を完全に包み込む作業はかなり複雑で、しかも困難な上手間が掛かる作業である（例えば特許文献１参照）。ゴミの入ったゴミ袋を、枠の付いた網をかけるという方法があるが、ゴミの入ったゴミ袋を網の範囲内に置き、その上網とゴミみの入ったゴミ袋の間に、カラスなどの嘴が届かない隙間を作るように置くということを、利用するすべての人が守ってくれるということは期待できない。
【特許文献１】実開平７−３６６７７
【考案の開示】
【考案が解決しようとする課題】
【０００４】
本考案が解決しようとする課題は、ゴミ集積場所に出されたゴミの入ったゴミ袋を、カラスや猫犬の食い散らかしから守るため、ゴミの入ったゴミ袋をカラスや猫犬から遮断するために、ネットやシート重石を使わないで簡単にゴミの入ったゴミ袋を収納できる防護具を提供することである。
【課題を解決するための手段】
【０００５】
本考案は、柔軟性のある素材で構成された本体に、ゴミの入ったゴミ袋を入れる入れ口と入れ口にファスナーを設け、ファスナーを開け、ゴミの入ったゴミ袋を入れファスナーを閉めることにより、カラスや猫犬からゴミの入ったゴミ袋を保護する防護具が提供することにある。
【考案の効果】
【０００６】
本考案は、前述の構成により、本体の入れ口ファスナーを開け、ゴミの入ったゴミ袋を入れファスナーを閉めることにより、カラスや猫犬などと完全に遮断でき、ゴミの食い荒らしの防護が出来る。ネットやシートを掛け重石で周りを押さえる必要がないので、力のない子供や老人でもゴミの入ったゴミ袋を収納することが容易に可能となる。本体は、柔軟性のある素材、布シート、ネット、ゴム、多孔性シート、ビニール、羽布などを用い、折りたたんだり丸めたりでき、回収して保管することができる。また固定用ロープにて柵などに縛ることで、風で飛ぶことも防止できる。本体底部は、完全に密封されていないため、雨水やゴミの入ったゴミ袋から出た水が溜まることがなく衛生的である。
【考案を実施するための最良の形態】
【０００７】
図1は、本考案の一例の斜視図である。柔軟性のある素材、布シート、ネット、ゴム、多孔性シート、ビニール、羽布などを６面に用いて立方体を形成し、面同士の接合部は縫い合わせや接着剤等で接合する。立方体の大きさは、ゴミの入ったゴミ袋の大きさや入れる数により変えることを可能とし、形状についても適宣形状に形成することが出来る。
【０００８】
上記本体１の天面に、ゴミの入ったゴミ袋を入れる入れ口を設け、ファスナー2を付け開閉できるようにしている。ファスナーに付いている入れ口は、天面が望ましいが、前面  側面  背面でもよい。ファスナーの長さは取り付ける面の長さと同等若しくはそれより短めがよい。ファスナーのスライダー（開閉部品）を２個取り付けると、出し入れの汎用性が向上する。また、ファスナーの代わりに、面ファスナー、ホック、ボタン、紐、ロープ、ショックコードでもよい。
【０００９】
本体１の底部は密閉しないように、四方から底部折込フラップ３を設け、各々のフラップを内側に折り込み、対向するフラップが重ならないよう隙間を設けるように形成する。水が溜まることを防ぐことと、内部の洗浄を簡単にできるような形状に形成されている。また、折込フラップを固定するためのフラップ押さえベルト９を設けているが、紐、ロープ、ショックコードなどで固定してもよい。また、底をフラップ状にせず、底を設けて水抜き口を設けたり、網状のもので底面を塞ぐ方法をとってもよく、フラップそのものを網状のもので形成してもよい。また図６で示すように、底面全体を設け面ファスナーや留め具、ホック、ショックコード、紐、ロープなどで本体と接合させてもよい。
【００１０】
図１に示すように本体背面より底を通り、前面まできている膨らみ防止ベルト４を設けている。膨らみ防止ベルトは、背面で本体と接合されていて、前面で面ファスナー１０を使い本体に止める形状になっているが、膨らみ防止ベルトの代わりにショックコード、ロープ、紐などを使うこともできる。また、本体との接合部である面ファスナー１０の代わりにバックル、ボタン、ホックなどを使うことも出来る。膨らみ防止ベルト4は、中央に一つだけであるが、取り付け位置や数は形状に合わせて適宣に変えることが出来る。
【００１１】
本体天面と背面の角に固定用ロープ止め５を設けている。固定用ロープ止めに本体固定用ロープ６を取り付け、風などで本体が移動することを防止する。固定用ロープ止め４は、形状に合わせて適宣の大きさにし、適宣位置に取り付けることができる。また、本体固定用ロープ６は、ワイヤーや  鎖、ショックコード、紐でもよい。また、本体固定用ロープに固定用フックや留め具をつけてもよい。
【００１２】
本体前面下部に取り付けるめくり上げ用取っ手７は、ゴミ回収時に本体を持ち上げることで、本体底が解放部分を有することから、ゴミを地面に残したまま本体のみを外すことができ、回収作業が容易となるためのもので、本体の形状により取り付け位置を適宣位置に変えることができ、材質は、ロープ、シート、金属、プラスチック、ゴムなどで形成してよい。
【００１３】
本体背面から出ている本体折りたたみ時固定用ロープ８を設けている。本体折りたたみ時固定用ロープは、必ずしもロープに限られる物ではなく、ベルト、ショックコード、紐などでもよい。また、折りたたみ時固定用ロープの数は、形状により敵宣数にすることができる。折りたたみロープに固定用フックや留め具を付けることもできる。
【００１４】
本体は、柔軟性のある素材、布シート、ネット、ゴム、多孔性シート、ビニール、羽布などの素材を使って形成されているため、内部にゴミの入ったゴミ袋を入れるまで自立していない。自立させるために図７で示すよう、骨組みを入れることにより自立させることができる。骨組みの材質は、木、金属、プラスチック、グラスファイバー、カーボンを用いることができる。
【産業上の利用可能性】
【００１５】
カラスや猫犬等による被害に悩むゴミ収集所において利用が可能であり、工業生産も可能である。
使用者にとっても、簡単で子供でもゴミ出しの手伝いといった家庭生活を応援するための産業製品に発展する可能性を有する。
【図面の簡単な説明】
【００１６】
【図１】本考案の実施を示す一例の斜視図
【図２】本考案の正面図である。
【図３】本考案の平面図である。
【図４】本考案の右側面図である。
【図５】本考案の底面図である。
【図６】本考案の本体を密閉型とした一例の斜視図
【符号の説明】
【００１７】
１  本体
２  ファスナー
３  底部折込フラップ
４  膨らみ防止用ベルト
５  固定用ロープ止め
６  固定用ロープ
７  めくり上げ用取っ手
８  本体折りたたみ時固定用ロープ
９  フラップ押さえベルト
１０  面ファスナー
【図１】
0003143408.tif 000003
【図２】
0003143408.tif 000004
【図３】
0003143408.tif 000005
【図４】
0003143408.tif 000006
【図５】
0003143408.tif 000007
【図６】
0003143408.tif 000008